(57)【特許請求の範囲】
【請求項１】
互いに付き合わされる第１の部材と第２の部材の突き合わせ面を締め付けるための錠装置であって、前記第１の部材の突き合わせ面付近の縁部上に取り付けられる錠本体と、この錠本体に対向して前記第２の部材の突き合わせ面付近の縁部上に取り付けられる受け部材とを具備し、
前記錠本体は、前記第１の部材の縁部上に固着されるベース金具と、前記突き合わせ面と平行な第１枢軸により前記ベース金具に一端側が枢支されベース金具に対して起伏自在の操作レバーと、前記第１枢軸と平行な第２枢軸により前記操作レバーの中間部に一端側が枢支され他端側に前記受け部材に係脱自在の係合部を有するフック部材と、前記ベース金具に固定され不使用時に前記フック部材を前記ベース金具上へ倒伏状態で保持する保持部材とを具備し、
前記操作レバーは、前記ベース金具上に倒伏した状態において同じくベース金具上に倒伏した状態における前記フック部材の先端から前記突き合わせ面に対して直交方向に延出し、
前記フック部材は、一端側の前記第２枢軸と、この枢軸に連続して前記操作レバーの両側面の外側に沿って延びる平行一対のアーム部と、このアーム部間を結合する前記係合部とを具備し、倒伏状態で係合部が前記操作レバー上へ重なるように構成され、
前記保持部材は、前記ベース金具に重ねて前記第１の部材に固着される基板部と、この基板部の両端から前記操作レバーの両側面の外側に間隔を置いてこれに沿って起立し操作レバー上に倒伏する前記フック部材のアーム部がスナップ係合する対向一対の弾性保持片とを具備し、
前記操作レバー上に倒伏して前記保持部材に保持された前記フック部材の係合部が、操作レバーに当接して操作レバーを倒伏位置に保持することを特徴とするパチン錠。
【請求項２】
側壁に囲まれた上方の開口部を有するコンテナ本体と、このコンテナ本体の開口部上に重ねられる蓋体と、コンテナ本体と蓋体との突き合わせ面を締め付けるためにコンテナ本体と蓋体に取り付けられる請求項１に記載のパチン錠とを具備し、
前記パチン錠の錠本体は、前記コンテナ本体の突き合わせ面付近の縁部上に取り付けられ、
前記パチン錠の受け部材は、前記錠本体に対向して前記蓋体の突き合わせ面付近の縁部上に取り付けられ、
前記コンテナ本体が開口を下にして配置されたとき、前記パチン錠の操作レバーとフック部材が、前記保持部材に倒伏状態で保持されることにより、開口部から下方へ突出しないように構成されることを特徴とするコンテナ。
【発明の詳細な説明】
【技術分野】
【０００１】
本発明は、パチン錠とこれを用いた運搬用のコンテナに関する。
【背景技術】
【０００２】
食品等の物品を収納して搬送されるコンテナは、その蓋をコンテナ本体に係止するためにパチン錠を有する。パチン錠は、蓋に係合するための回動自在のフックを有する。パチン錠は、そのフックの先端が蓋に係合するものであるので、蓋を外してコンテナ本体を上下転倒させると、フックの先端がコンテナ本体の開口周縁より下方に突き出すので、ローラコンベヤで搬送するときに円滑な搬送が出来ず、また平坦な床上に置いた場合に破損のおそれがあるし、コンテナ本体の姿勢が不安定となる。この不都合を解消するパチン錠を用いた物品搬送コンテナが、特許文献１に記載されている。
この物品搬送コンテナにおけるパチン錠は、レバーをその下端が下向きとなるように付勢するねじりコイルばねをレバーの支点軸に装着し、レバーの下端が下向きとなった姿勢において、その支点軸から所要距離をおいたレバーの一部に支点軸より内側の位置にフックを回転自在に取付け、そのフックの回転軸に偏平部を設け、ねじりコイルばねの固定端を適宜な固定部に係止すると共に可動端を回転軸の偏平部に係止することにより、フックをレバーと同じ方向に付勢した構成としたものである。
上記の構成によると、フックが蓋から外れた状態では、フックが下向きとなり、かつねじりコイルばねのばね力で、コンテナ本体の側壁側へ付勢される。従って、蓋を外した状態でコンテナ本体を上下逆向きにした場合に、フックが垂れ下がることがない。
【先行技術文献】
【特許文献】
【０００３】
【特許文献１】特開平１１−２２７７８０
【発明の概要】
【発明が解決しようとする課題】
【０００４】
上記従来の物品搬送コンテナにおけるパチン錠は、その基本構成中に特殊の回転軸やコイルばねを組み込む必要があるため、専用品として製作する必要がある。したがって、既存構造のパチン錠に後付けで部品を付設することにより製作することができない。このため、標準品を利用できないので、高価なものになってしまうという課題がある。
したがって、本発明は、不使用時にフック部材や操作レバーが回動しないように安定的に保持できるパチン錠であって、既存構造のパチン錠に後付けで部品を付設して製作できるもの、及びこのパチン錠を用いたコンテナを提供することを目的としている。
【課題を解決するための手段】
【０００５】
以下、添付図面の符号を参照して説明するが、本発明はこれに限定されるものではない。
上記課題を解決するための、本発明のパチン錠１は、互いに付き合わされるコンテナ本体９１と蓋体９２のような第１の部材と第２の部材の突き合わせ面１０を締め付けるための錠装置であって、第１の部材９１の突き合わせ面１０付近の縁部上に取り付けられる錠本体２と、この錠本体２に対向して第２の部材９２の突き合わせ面１０付近の縁部上に取り付けられる受け部材３とを具備する。錠本体２は、第１の部材９１の縁部上に固着されるベース金具４と、ベース金具４に対して起伏自在の操作レバー５と、操作レバー５に一端側が枢支されるフック部材６と、不使用時に操作レバー５とフック部材６をベース金具４上へ倒伏状態で保持する保持部材７とを具備する。操作レバー５は、突き合わせ面１０と平行な第１の枢軸８によりベース金具４に一端側が枢支される。フック部材６は、第１の枢軸８と平行な第２枢軸６１により操作レバー５の中間部に一端側が枢支され、他端側に受け部材３に係脱自在の係合部６２を有する。操作レバー５は、ベース金具４上に倒伏した状態において、同じくベース金具４上に倒伏した状態におけるフック部材６の先端から突き合わせ面１０に対して直交方向に延出する。フック部材６は、一端側の第２の枢軸である枢軸部６１と、この枢軸部６１に連続して操作レバー５の両側面の外側に沿って延びる平行一対のアーム部６３と、このアーム部６３間を結合する係合部６２とを具備し、倒伏状態で係合部６２が操作レバー５上へ重なるように構成される。保持部材７は、ベース部材４に重ねて第１の部材９１に固着される基板部７１と、この基板部７１の両端から起立する対向一対の弾性保持片７２とを具備する。弾性保持片７２は、操作レバー５の両側面の外側に間隔を置いてこれに沿って起立し、操作レバー５上に倒伏するフック部材６のアーム部６３がスナップ係合するように構成され、操作レバー５上に倒伏して保持部材７に保持されたフック部材６の係合部６２が、操作レバー５に当接して操作レバー５を倒伏位置に保持する。
本発明のコンテナ９は、側壁９３に囲まれた上方の開口部９４を有するコンテナ本体９１と、このコンテナ本体９１の開口部９４上に重ねられる蓋体９２と、コンテナ本体９１と蓋体９２との突き合わせ面１０を締め付けるために、コンテナ本体９１と蓋体９２に取り付けられる上記パチン錠１とを具備する。パチン錠１の錠本体２が、コンテナ本体９１の突き合わせ面１０付近の縁部上に取り付けられ、受け部材３が、錠本体２に対向して蓋体９２の突き合わせ面１０付近の縁部上に取り付けられる。コンテナ本体９１が開口部９４を下にして配置されたとき、パチン錠１の操作レバー５とフック部材６が、保持部材７に倒伏状態で保持されることにより、開口部９４から下方へ突出しない構成である。
【発明の効果】
【０００６】
本発明のパチン錠は、不使用時にフック部材や操作レバーが回動しないように安定的に保持でき、既存構造のパチン錠に後付けで部品を付設して安価に製作できる。このパチン錠を用いたコンテナは、蓋体を外して転倒させたときに、フック部材や操作レバーが下方へ突出して破損したり邪魔になったりすることがない。
【図面の簡単な説明】
【０００７】
【図１】本発明に係るパチン錠とコンテナの正面図である。
【図２】図１のパチン錠とコンテナの側面図である。
【図３】図１のパチン錠とコンテナの底面図である。
【図４】図１のパチン錠の斜視図である。
【図５】図１のパチン錠における保持部材の斜視図である。
【発明を実施するための形態】
【０００８】
図面を参照して本発明の実施の形態を説明する。
コンテナ９は、コンテナ本体９１１と、蓋体９２と、パチン錠１とを具備する。コンテナ本体９１１は、側壁９３に囲まれた上方の開口部９４を有する。蓋体９２とは、コンテナ本体９１の開口部９２を閉じるように上に重ねられ、両者の突き合わせ面１０を締め付けるために、パチン錠１が設けられる。
【０００９】
パチン錠１は、互いに付き合わされるコンテナ本体９１と蓋体９２のような第１、第２の部材の突き合わせ面１０を締め付けるための錠装置であって、コンテナ本体９１の突き合わせ面１０付近の縁部上に取り付けられる錠本体２と、この錠本体２に対向して蓋体９２の突き合わせ面１０付近の縁部上に取り付けられる受け部材３とを具備する。
【００１０】
錠本体２は、コンテナ本体９１の縁部上に固着されるベース金具４と、ベース金具４に対して起伏自在の操作レバー５と、操作レバー５に一端側が枢支されるフック部材６と、不使用時に操作レバー５とフック部材６をベース金具４上へ倒伏状態で保持する保持部材７とを具備する。
【００１１】
ベース金具４は、コンテナ本体９１の側壁９３の外側面にねじ止めされる基板部４１と基板部４１の一端側から直角に起立する対向一対の軸受け部４２とを具備する。
【００１２】
操作レバー５は、背板部５１と、背板部の両縁から直角に屈折する対向一対の側板部５２とを具備し、突き合わせ面１２と平行な第１枢軸８により、ベース金具の軸受け部４２に、一端側の側板部５２において枢支される。操作レバー５は、ベース金具４上に倒伏した状態において、同じくベース金具４上に倒伏した状態におけるフック部材６の先端から突き合わせ面１２に対して直交方向（図１において下方）へ延出する長さ寸法である。
【００１３】
フック部材６は、第１枢軸８と平行な第２枢軸である枢軸部６１により操作レバー５の側板部５２の中間部に一端側が枢支され、他端側に受け部材３に係脱自在の係合部６２を有する。図示の実施形態においてフック部材６は、金属線材をほぼ矩形状に屈曲して形成される。両端部に相対向するように枢軸部６１が形成され、この枢軸部６１に連続して操作レバー５の両側板部５２の外側に沿って延びる平行一対のアーム部６３と、このアーム部間を結合する係合部６２とを具備する。フック部材６は、倒伏状態で係合部６２が操作レバー５上へ重なるように構成される。
【００１４】
保持部材７は、弾性合成樹脂製で、ベース部材３の基板部４１に重ねてコンテナ本体９１に固着される基板部７１と、この基板部７１の両端から起立する対向一対の弾性保持片７２とを具備する。弾性保持片７２は、操作レバー５の両側板部５２の外側に間隔を置いて、これに沿って起立し、上端に対向方向内側へ突出する係合部７３を具備する。フック部材６が操作レバー５上に倒伏するとき、アーム部６３が、係合部７３間を弾性的に押し開きながら進入し、保持片７２にスナップ係合する。
【００１５】
したがって、フック部材６が操作レバー５上に倒伏して保持部材７に保持されると、それの係合部６２が、操作レバー５に当接して、操作レバー５が倒伏位置に保持される。コンテナ本体９１が、例えば水抜き等の必要上、開口を下にして配置されたとき、パチン錠２の操作レバー５とフック部材６が、保持部材７に倒伏状態で保持されるので、開口部から下方へ突出することがなく、破損するおそれがない。既存のパチン錠に保持部材７を付加することにより構成できるので、安価に提供できる。
【符号の説明】
【００１６】
１    パチン錠
２    錠本体
３    受け部材
４    ベース金具
４１  基板部
４２  軸受け部
５    操作レバー
５１  背板部
５２  側板部
６    フック部材
６１  第２の枢軸部
６２  係合部
６３  アーム部
７    保持部材
７１  基板部
７２  弾性保持片
７３  係合部
８    第１の枢軸
９    コンテナ
９１  コンテナ本体
９２  蓋体
９３  側壁
９４  開口部
１０  突き合わせ面
【図１】
0005632896.tif 000002
【図２】
0005632896.tif 000003
【図３】
0005632896.tif 000004
【図４】
0005632896.tif 000005
【図５】
0005632896.tif 000006